(57)【特許請求の範囲】
【請求項１】
カップ内に飲料を抽出する際に用いられる飲料バッグにおいて、
メッシュ状の合成樹脂からなる一対の袋構成シートを重ね合わせた状態で、一対の前記袋構成シートの周縁部同士を熱圧着することによって構成され、抽出原料を内包した袋体と、
一対の前記袋構成シートを繋ぐように一体形成され、メッシュ状の合成樹脂からなり、中央部が折り曲げられた吊り片と、
を備えたことを特徴とする飲料バッグ。
【請求項２】
前記吊り片は、ループ状に構成されていることを特徴とする請求項１に記載の飲料バッグ。
【請求項３】
前記抽出原料は、圧縮固形化されていることを特徴とする請求項１又は請求項２に記載の飲料バッグ。
【請求項４】
カップ内に飲料を抽出する際に用いられる飲料バッグを製造するための製造方法において、
メッシュ状の合成樹脂からなる生地を裁断して、一対の袋構成シート及び一対の前記袋構成シートを繋ぐ吊り片を一体形成する第１の工程と、
前記第１の工程の終了後に、一方の前記袋構成シートの内側面に抽出原料をセットする第２の工程と、
前記第２の工程の終了後に、前記吊り片の中央部を折り曲げて、一対の前記袋構成シートを重ね合わせる第３の工程と、
前記第３の工程の終了後に、一対の前記袋構成シートの周縁部同士を熱圧着して、前記抽出原料を内包した袋体を形成する第４の工程と、
を備えたことを特徴とする飲料バッグの製造方法。
【請求項５】
前記抽出原料は、圧縮固形化されていることを特徴とする請求項４に記載の飲料バッグの製造方法。
【発明の詳細な説明】
【技術分野】
【０００１】
本発明は、カップ内に紅茶、日本茶、ウーロン茶又はコーヒー等の飲料を抽出する際に用いられる飲料バッグ及びその製造方法に関する。
【背景技術】
【０００２】
近年、ティーバッグ（飲料バッグの１つ）にいて種々の開発がなされており（特許文献１及び特許文献２参照）、市販されている一般的なティーバッグの構成等は、次のようになる。
【０００３】
即ち、一般的なティーバッグは、抽出原料としての茶葉を内包した袋体を備えており、この袋体は、透水性の不織布又は不織紙等からなるものである。また、袋体の上部には、吊り紐（下げ紐）の一端が取付られており、この吊り紐は、合成繊維からなるものである。更に、吊り紐の他端には、摘み片が取付られており、この摘み片は、紙からなるものである。
【０００４】
従って、摘み片を手で持って、袋体をカップ内に入れる。そして、取っ手を手で持った状態又は紐の一部をカップの外側に垂らした状態で、カップ内にお湯を注ぐ。これにより、紅茶等をカップ内に抽出することができる。
【特許文献１】特開２００５−１３５７９１号公報
【特許文献２】特開２００６−２３８９０６号公報
【発明の開示】
【発明が解決しようとする課題】
【０００５】
ところで、一般的なティーバッグにあっては、前述のように、透水性の不織布又は不織紙等からなる袋体に、合成繊維からなる吊り紐が取付けられているため、ティーバッグの製造に関する一連の工程の中に、袋体の形成に関する工程の他に、吊り紐を袋体に取付ける工程が加わることになる。そのため、ティーバッグの製造作業の煩雑化を招き、ティーバッグの生産性を飛躍的に向上させることが難しいという問題がある。
【０００６】
そこで、本発明は、前述の問題を解決することができる、新規な構成の飲料バッグ及びその製造方法を提供することを目的とする。
【課題を解決するための手段】
【０００７】
本発明の第１の特徴（請求項１に記載の発明の特徴）は、カップ内に飲料を抽出する際に用いられる飲料バッグにおいて、メッシュ状の合成樹脂からなる一対の袋構成シートを重ね合わせた状態で、一対の前記袋構成シートの周縁部同士を熱圧着することによって構成され、抽出原料（飲料原料）を内包した袋体と、一対の前記袋構成シートを繋ぐように一体形成され、メッシュ状の合成樹脂からなり、中央部が折り曲げられた吊り片と、を備えたことを要旨とする。
【０００８】
なお、前記飲料には、紅茶、日本茶、ウーロン茶、又はコーヒー等が含まれ、前記抽出原料には、紅茶葉、日本茶葉、ウーロン茶葉、又はコーヒー粉等が含まれる。また、前記飲料バッグとは、ティーバッグを含む意である。
【０００９】
第１の特徴によると、前記吊り片の一部を手で持って、前記袋体を前記カップ内に入れる。そして、前記吊り片の一部を手で持った状態又は前記吊り片の一部を前記カップの外側に垂らした状態で、前記カップ内にお湯を注ぐ。これにより、前記飲料を前記カップ内に抽出することができる。
【００１０】
また、前記袋体がメッシュ状の合成樹脂からなる一対の前記袋構成シートの周縁部同士を熱圧着することによって構成され、メッシュ状の合成樹脂からなる前記吊り片が一対の前記袋構成シートを繋ぐように一体形成されているため、前記飲料バッグの製造に関する一連の工程から、前述の一般的なティーバッグの吊り紐に相当する前記吊り片を前記袋体に取付ける工程を省略することができる。
【００１１】
本発明の第２の特徴（請求項２に記載の発明の特徴）は、第１の特徴に加えて、前記吊り片は、ループ状に構成されていることを要旨とする。
【００１２】
本発明の第３の特徴（請求項３に記載の発明の特徴）は、第１の特徴又は第２の特徴に加えて、前記抽出原料は、圧縮固形化されていることを要旨とする。
【００１３】
本発明の第４の特徴（請求項４に記載の発明の特徴）は、カップ内に飲料を抽出する際に用いられる飲料バッグを製造するための製造方法において、メッシュ状の合成樹脂からなる生地を裁断することにより、一対の袋構成シート及び一対の前記袋構成シートを繋ぐ吊り片を一体形成する第１の工程と、前記第１の工程の終了後に、一方の前記袋構成シートの内側面に抽出原料（飲料原料）をセットする第２の工程と、前記第２の工程の終了後に、前記吊り片の中央部を折り曲げて、一対の前記袋構成シートを重ね合わせる第３の工程と、前記第３の工程の終了後に、一対の前記袋構成シートの周縁部同士を熱圧着して、前記抽出原料を内包した袋体を形成する４の工程と、を備えたことを要旨とする。
【００１４】
第４の特徴によると、メッシュ状の合成樹脂からなる前記生地を裁断して、一対の前記袋構成シート及び前記吊り片を一体形成した後に、一対の前記袋構成シートの周縁部同士を熱圧着して、前記抽出原料を内包した前記袋体を形成するため、前記飲料バッグの製造に関する一連の工程から、前述の一般的なティーバッグの吊り紐に相当する前記吊り片を前記袋体に取付ける工程を省略することができる。
【発明の効果】
【００１５】
本発明によれば、前記飲料バッグの製造に関する一連の工程から、前述の一般的なティーバッグの吊り紐に相当する前記吊り片を前記袋体に取付ける工程を省略できるため、前記飲料バッグの製造作業の煩雑化を抑えて、前記飲料バッグの生産性を飛躍的に向上させることができる。
【発明を実施するための最良の形態】
【００１６】
（第１実施形態）
本発明の第１実施形態について図１及び図２を参照して説明する。
【００１７】
ここで、図１は、本発明の第１実施形態に係るティーバッグの斜視図、図２は、本発明の第１実施形態に係るティーバッグの吊り片をカップの取っ手に引っ掛けた状態を示す斜視図である。
【００１８】
図１及び図２に示すように、本発明の第１実施形態に係るティーバッグ１は、カップ３内に紅茶（飲料の一例）を抽出する際に用いられるものであって、飲料バッグの一つである。そして、本発明の実施形態に係るティーバッグ１の具体的な構成は、次のようになる。
【００１９】
ティーバッグ１は、抽出原料として圧縮固形化された紅茶葉Ｍを内包した袋体５を備えている。また、袋体５は、一対の袋構成シート７，９を重ね合わせた状態で、一対の袋構成シート７，９の周縁部７ａ，９ａ同士を熱圧着することによって構成されてあって、一対の袋構成シート７，９は、それぞれポリプロピレンメッシュ等のメッシュ状の合成樹脂からなるものである。
【００２０】
ティーバッグ１は、袋体５の他に、一対の袋構成シート７，９を繋ぐように一体形成された吊り片１１を備えており、この吊り片１１は、ポリプロピレンメッシュ等のメッシュ状の合成樹脂からなるものである。また、吊り片１１の中央部１１ａは、折り曲げられてあって、吊り片１１は、カップ３の取っ手１３に係止できるようにループ状に構成されている。更に、吊り片１１の両端部（一端部１１ｂと他端部１１ｃ）は、熱圧着されている。
【００２１】
続いて、本発明の第１実施形態の作用及び効果について説明する。
【００２２】
吊り片１１の一部を手で持って、袋体５をカップ３内に入れる。そして、吊り片１１の一部を手で持った状態又は吊り片１１の一部をカップ３の外側に垂らした状態で、カップ３内にお湯を注ぐ。これにより、紅茶をカップ３内に抽出することができる。ここで、吊り片１１の一部をカップ３の外側に垂らす際に、吊り片１１をカップ３の取っ手に係止させておくことにより、カップ３内にお湯を注ぐ際に、吊り片１１全体がカップ３内に入ってしまうことを防止することができる。
【００２３】
また、袋体５がメッシュ状の合成樹脂からなる一対の袋構成シート７，９の周縁部７ａ，９ａ同士を熱圧着することによって構成され、メッシュ状の合成樹脂からなる吊り片１１が一対の袋構成シート７，９を繋ぐように一体形成されているため、ティーバッグ１の製造に関する一連の工程から、前述の一般的なティーバッグの吊り紐に相当する吊り片１１を袋体５に取付ける工程を省略することができる。
【００２４】
更に、抽出原料として紅茶葉Ｍが圧縮固形化されているため、ティーバッグ１を製造する際に、紅茶葉Ｍが袋構成シート７，９からはみ出すことを防ぐことができる。
【００２５】
従って、本発明の第１実施形態によれば、ティーバッグ１の製造に関する一連の工程から、前述の一般的なティーバッグの吊り紐に相当する吊り片１１を袋体５に取付ける工程を省略することができる共に、ティーバッグ１を製造する際に、紅茶葉Ｍが袋構成シート７，９からはみ出すことを防ぐことができるため、ティーバッグ１の製造作業の煩雑化を十分に抑えて、ティーバッグ１の生産性を飛躍的に向上させることができる。
【００２６】
また、吊り片１１をカップ３の取っ手１３に係止させておくことにより、カップ３内にお湯を注ぐ際に、吊り片１１全体がカップ３内に入ってしまうことを防止するため、ティーバッグ１の便利性を向上させることができる。
【００２７】
（第２実施形態）
本発明の第２実施形態について図３及び図４を参照して説明する。
【００２８】
ここで、図３及び図４は、本発明の第２実施形態に係るティーバッグの製造方法を説明する図である。
【００２９】
図３及び図４に示すように、本発明の第２実施形態に係るティーバッグの製造方法は、第１実施形態に係るティーバッグ１を製造するための製造方法であって、飲料バッグの製造方法の一つである。そして、本発明の第２実施形態に係るティーバッグの製造方法は、次のような工程を備えている。
【００３０】
(i)第１の工程
図３（ａ）（ｂ）に示すように、裁断装置（図示省略）を用いて、ポリプロピレンメッシュ等のメッシュ状の合成樹脂からなる生地Ｔを裁断することにより、一対の袋構成シート７，９及び一対の袋構成シート７，９を繋ぐ吊り片１１を一体形成することができる。
【００３１】
(ii)第２の工程
前記(i)第１の工程の終了後に、図３（ｃ）に示すように、一方の袋構成シート７の内側面（図３（ｃ）において紙面に向かって表側面）に抽出原料として圧縮固形化された紅茶葉Ｍをセットする。
【００３２】
(ii)第３の工程
前記(ii)第２の工程の終了後に、図４（ａ）に示すように、吊り片１１の中央部１１ａを折り曲げて、一対の袋構成シート７，９を重ね合わせる。
【００３３】
(iv)第４の工程
前記(iii)第３の工程の終了後に、図４（ｂ）に示すように、熱圧着装置（図示省略）を用いて、一対の袋構成シート７，９の周縁部７ａ，９ａ同士を熱圧着しすると共に、吊り片１１の一端部１１ｂと他端部１１ｃを熱圧着する。これにより、圧縮固形化された紅茶葉Ｍを内包した袋体５を形成することができる。
【００３４】
以上により、ティーバッグ１の製造が終了する。
【００３５】
続いて、本発明の第２実施形態の作用及び効果について説明する。
【００３６】
メッシュ状の合成樹脂からなる生地Ｔを裁断して、一対の袋構成シート７，９及び吊り片１１を一体形成した後に、一対の袋構成シート７，９の周縁部７ａ，９ａ同士を圧着して、圧縮固形化された紅茶葉Ｍを内包した袋体５を形成するため、ティーバッグ１の製造に関する一連の工程から、前述の一般的なティーバッグの吊り紐に相当する吊り片１１を袋体５に取付ける工程を省略することができる。
【００３７】
また、抽出原料として紅茶葉Ｍが圧縮固形化されているため、ティーバッグ１を製造する際、具体的には、一方の袋構成シート７の内側面に紅茶葉Ｍをセットしたり又は一対の袋構成シート７，９を重ね合わせたりする際に、紅茶葉Ｍが袋構成シート７，９からはみ出すことを十分に抑えることができる。
【００３８】
従って、本発明の第２実施形態によれば、ティーバッグ１の製造に関する一連の工程から、前述の一般的なティーバッグの吊り紐に相当する吊り片１１を袋体５に取付ける工程を省略することができる共に、ティーバッグ１を製造する際に、紅茶葉Ｍが袋構成シート７，９からはみ出すことを防ぐことができるため、ティーバッグ１の製造作業の煩雑化を十分に抑えて、ティーバッグ１の生産性を飛躍的に向上させることができる。
【００３９】
なお、本発明は、前述の実施形態の説明に限られるものではなく、例えば袋体５に封入する飲料原料として、紅茶葉の他に、日本葉、ウーロン茶葉、コーヒー等を用いる等、その他、種々の態様で実施可能である。また、本発明に包含される権利範囲は、これらの実施形態に限定されないものである。
【図面の簡単な説明】
【００４０】
【図１】本発明の第１実施形態に係るティーバッグの斜視図である。
【図２】本発明の第１実施形態に係るティーバッグの吊り片をカップの取っ手に引っ掛けた状態を示す斜視図である。
【図３】本発明の第２実施形態に係るティーバッグの製造方法を説明する図である。
【図４】本発明の第２実施形態に係るティーバッグの製造方法を説明する図である。
【符号の説明】
【００４１】
Ｍ          紅茶葉
Ｔ          生地
１          ティーバッグ
３          カップ
５          袋体
７          袋構成シート
７ａ        周縁部
９          袋構成シート
９ａ        周縁部
１１          吊り片
１１ａ        中央部
１１ｂ        一端部
１１ｃ        他端部
１３          取っ手
【図１】
0004789965.tif 000002
【図２】
0004789965.tif 000003
【図３】
0004789965.tif 000004
【図４】
0004789965.tif 000005